(57)【特許請求の範囲】
【請求項１】
当月の電力の使用目標値を示す月別目標値を取得する取得部と、
前記月別目標値に基づいて、当月における一定期間ごとの電力の使用目標値を示す期間別目標値を決定する決定部と、
当月の開始日から現在までに使用された消費電力を示す消費電力情報を収集し、前記消費電力情報を管理する管理部と、
前記期間別目標値および前記消費電力情報に基づいて、当月の開始日から現在までの電力使用量に関する情報を示すグラフを生成するグラフ生成部と、を備え、
前記グラフ生成部は、
前記期間別目標値を示す情報を前記一定期間ごとに切り替えて前記グラフに重畳すると共に、前記電力使用量に関する情報を示す前記グラフの目盛りの上限値を調整して前記期間別目標値及び前記電力使用量のうちの大きい方の値を前記グラフに表示させる
情報処理装置。
【請求項２】
前記使用目標値および前記電力使用量に関する情報は、電力量で表示される
請求項１に記載の情報処理装置。
【請求項３】
前記使用目標値および前記電力使用量に関する情報は、電気代で表示される
請求項１に記載の情報処理装置。
【請求項４】
前記グラフ生成部は、
前記現在が、前記当月の所定日の前日までの日である場合には、前記期間別目標値を示す情報を前記一定期間ごとに切り替えて前記グラフに重畳し、
前記現在が、前記所定日以降の日である場合には、前記期間別目標値を示す情報を前記一定期間ごとに切り替えて前記グラフに重畳せずに、前記月別目標値を示す情報を前記グラフに重畳する
請求項１に記載の情報処理装置。
【請求項５】
前記グラフ生成部は、
前記現在が、前記当月の所定日の前日までの日である場合には、前記期間別目標値を示す情報を前記一定期間ごとに切り換えて前記グラフに重畳し、
前記現在が、前記所定日以降の日である場合には、前記現在までの前記電力使用量が、当該現在を含む前記一定期間に対応する前記期間別目標値よりも大きいか否かを判断し、
前記現在までの前記電力使用量が、当該期間別目標値よりも大きい場合は、前記グラフに前記月別目標値を重畳し、前記現在までの前記電力使用量が前記期間別目標値よりも小さい場合は、前記グラフに前記期間別目標値を重畳する
請求項１に記載の情報処理装置。
【請求項６】
前記グラフ生成部は、
前記現在までの前記電力使用量が前記期間別目標値を超えた場合、当該電力使用量に合わせて前記グラフの電力使用量を示す目盛りの上限値を調整する
請求項１乃至請求項５のいずれか１項に記載の情報処理装置。
【請求項７】
前記決定部は、前記月別目標値に基づいて、前記当月の開始日から当該当月のそれぞれの日までの電力消費量の上限値である日別目標値を前記当月のそれぞれの日について決定し、
前記グラフ生成部は、前記日別目標値を示す情報を日ごとに切り替えて前記グラフに重畳する
請求項１に記載の情報処理装置。
【請求項８】
前記決定部は、前記月別目標値に基づいて、週ごとの電力消費量の上限値である週別目標値を前記当月の各週について決定し、
前記グラフ生成部は、前記週別目標値を示す情報を週ごとに切り替えて前記グラフに重畳する
請求項１に記載の情報処理装置。
【請求項９】
当月の電力の使用目標値を示す月別目標値を取得するステップと、
前記月別目標値に基づいて、当月における一定期間ごとの電力の使用目標値を示す期間別目標値を決定するステップと、
当月の開始日から現在までに使用された消費電力を示す消費電力情報を収集し、前記消費電力情報を管理するステップと、
前記期間別目標値および前記消費電力情報に基づいて、当月の開始日から現在までの電力使用量に関する情報を示すグラフを生成するステップと、を含み、
生成をする前記ステップでは、
前記期間別目標値を示す情報を前記一定期間ごとに切り替えて前記グラフに重畳すると共に、前記グラフの、電力使用量を示す目盛りの上限値を調整して前記期間別目標値及び前記電力使用量のうちの大きい方の値を前記グラフに表示させる
情報処理方法。
【請求項１０】
当月の電力の使用目標値を示す月別目標値を取得するステップと、
前記月別目標値に基づいて、当月における一定期間ごとの電力の使用目標値を示す期間別目標値を決定するステップと、
当月の開始日から現在までに使用された消費電力を示す消費電力情報を収集し、前記消費電力情報を管理するステップと、
前記期間別目標値および前記消費電力情報に基づいて、当月の開始日から現在までの電力使用量に関する情報を示すグラフを生成するステップと、をコンピュータに実行させるプログラムであって、
生成をする前記ステップでは、
前記期間別目標値を示す情報を前記一定期間ごとに切り替えて前記グラフに重畳すると共に、前記グラフの、電力使用量を示す目盛りの上限値を調整して前記期間別目標値及び前記電力使用量のうちの大きい方の値を前記グラフに表示させる
プログラム。
【発明の詳細な説明】
【技術分野】
【０００１】
本発明は、ユーザの電力使用量をグラフで表示する技術に関する。
【背景技術】
【０００２】
近年、米国のスマートグリッドの研究を発端に、各地でエネルギーマネジメント技術が注目されている。この技術の基本機能の１つとして、エネルギーの見える化がある。様々な検証の結果、ユーザ自身が利用している電力使用量をグラフなどの形式でユーザに見せることで、省エネに有効であることが立証されている。【０００３】
従来、ユーザの使用電力をグラフで表示する技術として、例えば特許文献１のような技術が知られている。特許文献１では、図１に示すように使用済みの電力量を示す第１のグラフ１７１が表示され、使用済みの電力量の増加に応じて第１のグラフ１７１の面積が増えていく。また、この第１のグラフ１７１と共に、現在から時限終了までに使用予定の電力量を示す第２のグラフ１７２が表示される。図１に示すように、この第２のグラフ１７２は、第１のグラフ１７１の上に積み上げられる。さらに、契約電力量を示す表示物１７６が表示される。この表示物１７６により示される契約電力量は、現在日が含まれる月において使用される電力量の目標値である。
【先行技術文献】
【特許文献】
【０００４】
【特許文献１】特開２００５−１４３１５６号公報
【発明の概要】
【発明が解決しようとする課題】
【０００５】
しかしながら、上記従来技術では、電力使用量の目標値に対する、日々の電力消費の増加傾向、或いは、使用可能な電力量を的確に把握できないという課題がある。【０００６】
そこで、本発明は、電力使用量の目標値に対する、日々の電力消費の増加傾向、或いは、使用可能な電力量を的確に把握することができる情報処理装置および情報処理方法を提供する。
【課題を解決するための手段】
【０００７】
本発明の一態様に係る情報処理装置は、当月の電力の使用目標値を示す月別目標値を取得する取得部と、前記月別目標値に基づいて、当月における一定期間ごとの電力の使用目標値を示す期間別目標値を決定する決定部）と、当月の開始日から現在までに使用された消費電力を示す消費電力情報を収集し、前記消費電力情報を管理する管理部と、前記期間別目標値および前記消費電力情報に基づいて、当月の開始日から現在までの電力使用量に関する情報を示すグラフを生成するグラフ生成部と、を備える。【０００８】
前記グラフ生成部は、前記期間別目標値を示す情報を前記一定期間ごとに切り替えて前記グラフに重畳すると共に、前記電力使用量に関する情報を示す前記グラフの目盛りの上限値を調整して前記期間別目標値及び前記電力使用量のうちの大きい方の値を前記グラフに表示させる。
【０００９】
なお、これらの包括的または具体的な態様は、システム、方法、集積回路、コンピュータプログラムまたはコンピュータ読み取り可能なＣＤ−ＲＯＭ（Ｃｏｍｐａｃｔ  Ｄｉｓｃ  Ｒｅａｄ  Ｏｎｌｙ  Ｍｅｍｏｒｙ）などの記録媒体で実現されてもよく、システム、方法、集積回路、コンピュータプログラムおよび記録媒体の任意な組み合わせで実現されてもよい。
【発明の効果】
【００１０】
本態様によると、目標となる電力使用量に対する電力消費量の増加傾向、或いは、使用可能な電力量を的確に把握することができる。
【図面の簡単な説明】
【００１１】
【図１】図１は、従来例で表示される電力使用量のグラフを示す図である。
【図２】図２は、月の上旬に表示されるグラフを示す図である。
【図３】図３は、実施の形態１のシステムを示す図である。
【図４】図４は、実施の形態１でのコントローラの構成を示す図である。
【図５】図５は、実施の形態１でのコントローラの動作の流れを示すフローチャートである。
【図６】図６は、実施の形態１での動作の流れを示すフローチャートである。
【図７】図７は、実施の形態１での、第１のグラフと第２のグラフとを示す図である。
【図８】図８は、実施の形態１での、第１のグラフと第２のグラフとを示す図である。
【図９】図９は、実施の形態２での、システムの動作を示すフローチャートである。
【図１０】図１０は、実施の形態２での、第１のグラフと、第２のグラフとを示す図である。
【図１１】図１１は、実施の形態３での動作の流れを示すフローチャートである。
【図１２】図１２は、実施の形態３での、第１のグラフと、第２のグラフとを示す図である。
【図１３】図１３は、実施の形態４での表示装置の構成を示す図である。
【発明を実施するための形態】
【００１２】
（本発明の基礎となった知見）
本発明者は、「背景技術」の欄において記載した従来の表示方式に関し、以下の問題が生じることを見出した。
【００１３】
上記従来技術では、契約電力量を示す表示物１７６により示される月の目標値に合わせて、現在日までの電力使用量を、棒グラフである第１のグラフ１７１で表示させる。このため、月の目標値に対して、第１のグラフ１７１、第２のグラフ１７２、および表示物１７６を示す目盛りのスケールが決定される。
【００１４】
これにより、月の上旬などのように、表示物１７６により示される月の目標値と、第１のグラフ１７１により示される現在日までの電力使用量との差が比較的大きい場合には、電力使用量に対して、グラフのスケールが相対的に大きくなる。そのため、ユーザにとっては、電力使用量の増加度合いを把握するのが難しい場合が生じる。
【００１５】
また、その結果として、第１のグラフ１７１により示される現在日までの電力使用量が、表示物１７６により示される月の目標値に近づくまで、ユーザは電力消費を抑える必要があることに気づかない可能性がある。
【００１６】
これについて図２を用いて具体的に説明する。図２は、月の上旬に表示される宅内の電力消費量を示すグラフの１例である。
【００１７】
図２のグラフでは、電力量を示す縦軸が「０」から「５００」まで表示されており、当月の目標値が「４８０ＫＷｈ」、現在日までの使用電力量が「３０ＫＷｈ」であることを示している。
【００１８】
図２のように現在日が月の上旬の場合、縦軸の上限値（５００）と現在日までの使用電力量との差が大きい。１日の間に消費される電力量はこの上限値（５００）に対して相対的に小さいため、例えば月の上旬の間に電力使用量が増加したとしても、図２のグラフではユーザがその増加度合いを理解するのが難しい。
【００１９】
このような問題を解決するために、本発明の一態様に係る情報処理装置は、当月の電力の使用目標値を示す月別目標値を取得する取得部と、前記月別目標値に基づいて、当月における一定期間ごとの電力の使用目標値を示す期間別目標値を決定する決定部）と、当月の開始日から現在（現在日）までに使用された消費電力を示す消費電力情報を収集し、前記消費電力情報を管理する管理部と、前記期間別目標値および前記消費電力情報に基づいて、当月の開始日から現在までの電力使用量に関する情報を示すグラフを生成するグラフ生成部と、を備える。
【００２０】
そして、前記グラフ生成部は、前記期間別目標値を示す情報を前記一定期間ごとに切り替えて前記グラフに重畳すると共に、前記電力使用量に関する情報を示す前記グラフの目盛りの上限値を調整して前記期間別目標値及び前記電力使用量のうちの大きい方の値を前記グラフに表示させる。
【００２１】
これにより、所定の期間ごとに前記期間別目標値を表示しつつ前記期間別目標値の大きさに応じて目盛りのスケールを調整するので、月の始めのように月の目標値と実際の電力使用量との差が大きい場合であっても、ユーザは目標となる電力使用量に対する電力消費量の増加傾向或いは使用可能な電力量を把握することができる。
【００２２】
なお、前記使用目標値および前記電力使用量に関する情報は、電力量で表示されてもよい。また、前記使用目標値および前記電力使用量に関する情報は、電気代で表示されてもよい。
【００２３】
また、本発明の実施の形態の一例として、前記グラフ生成部は、前記現在前記当月の所定日の前日までの日の場合には前記期間別目標値を示す情報を前記一定期間ごとに切り替えて前記グラフに重畳し、前記現在が前記所定日以降である場合には、前記期間別目標値を示す情報を前記一定期間ごとに切り替えて前記グラフに重畳せずに、前記月別目標値を示す情報を前記グラフに重畳してもよい。
【００２４】
また、本発明の実施の形態の一例として、前記グラフ生成部は、前記現在が前記当月の所定日の前日までの日の場合には、前記期間別目標値を示す情報を前記一定期間ごとに切り換えて前記グラフに重畳し、前記現在が前記所定日以降の場合には、前記現在までの前記電力使用量が、当該現在を含む前記一定期間に対応する前記期間別目標値よりも大きいか否かを判断し、前記現在までの前記電力使用量が当該期間別目標値よりも大きい場合は、前記グラフに前記月別目標値を重畳し、前記現在までの前記電力使用量が前記期間別目標値よりも小さい場合は、前記グラフに前記期間別目標値を重畳してもよい。
【００２５】
また、本発明の実施の形態の一例として、前記グラフ生成部は、前記現在までの前記電力使用量が前記期間別目標値を超えた場合、当該電力使用量に合わせて前記グラフの電力使用量を示す目盛りの上限値を調整してもよい。
【００２６】
また、本発明の実施の形態の一例として、前記決定部は、前記月別目標値に基づいて、前記当月の開始日から当該当月のそれぞれの日までの電力消費量の上限値である日別目標値を前記当月のそれぞれの日について決定し、前記グラフ生成部は、前記日別目標値を示す情報を日ごとに切り替えて前記グラフに重畳してもよい。
【００２７】
また、本発明の実施の形態の一例として、前記決定部は、前記月別目標値に基づいて、週ごとの電力消費量の上限値である週別目標値を前記当月の各週について決定し、前記グラフ生成部は、前記週別目標値を示す情報を週ごとに切り替えて前記グラフに重畳してもよい。
【００２８】
なお、これらの包括的または具体的な態様は、システム、方法、集積回路、コンピュータプログラムまたはコンピュータ読み取り可能なＣＤ−ＲＯＭなどの記録媒体記録媒体で実現されてもよく、システム、方法、集積回路、コンピュータプログラムまたは記録媒体の任意な組み合わせで実現されてもよい。
【００２９】
以下、本発明の実施の形態について図面を用いて詳細に説明する。
【００３０】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３１】
（実施の形態１）
図３は、実施の形態１に係る情報処理装置または情報処理方法が用いられるシステム構成を示す。
【００３２】
システム１００は、分電盤１０１と、電力測定装置１０２と、コントローラ（情報処理装置）１０３と、無線ルータ１０４と、表示装置１０５とを備える。
【００３３】
システム１００は、例えば、ユーザ宅、ビル、工場、オフィス、官公庁などの建物１０に設けられる。建物１０は１以上の電気機器を有し、電力が消費される。なお、電気機器は、例えばテレビ、冷蔵庫などの家電機器（例えば図３の家電製品１０６）である。
【００３４】
電気機器には、分電盤１０１を経由して電力が供給される。分電盤１０１へと入力される電力は電力会社の商用電力であってもよいし、この建物のユーザが太陽光発電システム（図３のＰＶ（Ｐｈｏｔｏｖｏｌｔａｉｃ）１０７を参照）或いは風力発電システム等を備える場合には、これらの発電システムで生成した電力であってよい。
【００３５】
電力測定装置１０２は、電気機器により消費される電力を測定する。なお、この電力の測定には、一般的に知られている公知技術を流用することができる。例えば、ＣＴ（Ｃｕｒｒｅｎｔ  Ｔｒａｎｓｆｏｒｍｅｒ）線による電力測定の技術などが挙げられる（図３を参照）。
【００３６】
コントローラ１０３は、建物１０で使用されている電力消費量を示すグラフを生成する。コントローラ１０３は、無線ルータ１０４を介してグラフを表示装置１０５に送信する。なお、この実施の形態１では、コントローラ１０３と表示装置１０５との間の通信は、無線ルータ１０４を介した無線通信を用いる場合を例に説明するが、その他の通信方式であっても良いことは言うまでもない。例えば、この通信は、ＬＡＮ（Ｌｏｃａｌ  Ａｒｅａ  Ｎｅｔｗｏｒｋ）での通信などの有線通信でもよい。
【００３７】
このコントローラ１０３は、例えば、ＣＰＵ、ＲＯＭ、ＲＡＭなどの備えるコンピュータで実装することができる。
【００３８】
なお、コントローラ１０３が備えるそれぞれの機能（図４の機能など）は、例えば、コントローラ１０３がプログラムを実行することによって実現することができる。
【００３９】
また、コントローラ１０３が備えるそれぞれの機能は、例えば、これらの機能の情報処理を行う回路により実現することができる。
【００４０】
表示装置１０５は、コントローラ１０３から送信される電力使用量を示すグラフを表示する。表示装置１０５は、例えば、スマートフォン、携帯電話、テレビ、或いは、パーソナルコンピュータなどの装置である。
【００４１】
図４は、コントローラ１０３の構成を示すブロック図である。
【００４２】
コントローラ１０３は、月別目標値取得部４０１と、表示目標値決定部４０２と、電力（電気代）情報管理部４０５と、グラフ生成部４０３と、通信部４０４とを備える。
【００４３】
月別目標値取得部４０１は、当月において建物１０で使用されるべき電力量の目標値（月別目標値）を取得する。
【００４４】
なお、取得される月別目標値は、例えば、インターネットなどのネットワークを介して、電力会社のサーバなどから月別目標値取得部４０１に設定されてもよい。
【００４５】
また、月別目標値は、例えば、ユーザによりこのコントローラ１０３に設定されてもよい。この場合、コントローラ１０３が、ユーザによって設定された月別目標値を記憶部（図略）に記憶しておき、月別目標値取得部４０１が必要に応じて記憶部から月別目標値を取得してもよい。
【００４６】
表示目標値決定部４０２は、月別目標値取得部４０１が取得した月別目標値に基づいて、当月における一定期間ごとの電力使用量の目標値を決定する。例えば、表示目標値決定部４０２は、月別目標値に基づいて、日別、日数別（３日ごと、５日ごと、１０日ごと）、或いは、週別の電力使用量の目標値を決定する。
【００４７】
例えば、電力使用量の目標値を日別に求める場合は、月別目標値を「３０」または「３１」で除算した値を目標値の増加度合いとしてもよいし、建物１０のユーザの生活履歴情報などを収集し、ユーザが建物１０に滞在する時間を考慮して日別の目標値を決定してよい。例えば、ユーザが平日に比べて週末や休日に建物１０の滞在時間が長いユーザである場合などには、平日に比べて週末の目標値の増加度合いを大きくしてもよい。
【００４８】
なお、図４では表示目標値決定部４０２をグラフ生成部４０３とは別の構成として説明しているが、表示目標値決定部４０２はグラフ生成部４０３の機能に含まれても良い。
【００４９】
電力情報管理部４０５は、電力測定装置１０２（図３）から建物１０で消費される電力または電気代に関する情報（電力使用情報）を収集して管理する。この電力使用情報は、当月の開始日から現在日までに建物１０で使用された使用電力量を特定するための情報である。
【００５０】
電力情報管理部４０５は、例えば、電力測定装置１０２から定期的に送信される電力使用情報を当月の開始日から現在日まで積分することにより、当月の開始日から現在日までの電力使用量を特定し、記憶部などで管理する。
【００５１】
グラフ生成部４０３は、表示目標値決定部４０２が決定した期間別の電力使用量の目標値と電力情報管理部４０５が管理している当月の開始日から現在日までの電力使用量とに基づいて、電力使用量を示すグラフを特定するためのデータを生成する。生成されるデータは、そのグラフの画像を特定するデータなどであり、例えば、その画像におけるそれぞれの画素の画素値を含むデータである。グラフ生成部４０３で生成されたデータは、通信部４０４を介して送信される。
【００５２】
以降、以上のように構成されたコントローラ１０３の動作について説明する。
【００５３】
図５は、コントローラ１０３の動作を示すフローチャートである。
【００５４】
まず、電力情報管理部４０５が電力測定装置１０２から定期的に送信される電力使用情報を収集し、当月の開始日から現在日までに消費された電力量を特定する（Ｓ１１）。
【００５５】
次に、グラフ生成部４０３は、電力情報管理部４０５が管理している当月の開始日から現在日までの電力使用量に基づいて、電力使用量を示すグラフを特定するためのデータを生成する（Ｓ１２）。このグラフ生成処理の詳細については図６を用いて後述する。
【００５６】
図６は、図５のグラフ生成処理（Ｓ１２）の詳細な動作を示すフローチャートである。図６では、日別に電力使用量の目標値を決定する場合を例に説明する。
【００５７】
Ｓ２０１では、月別目標値取得部４０１により、情報１０３ｐから、その情報１０３ｐに含まれるデータが取得（抽出）される。
【００５８】
抽出されるデータは、この情報１０３ｐにより特定される、先述された、電力会社などにより設定された、この月の間での、消費される電力量の目標値を示すデータである。
【００５９】
なお、上述のデータが取得されることにより、このデータにより特定される、上述された、この月の間での、消費される電力量の目標値が特定（取得）される。
【００６０】
なお、月別目標値取得部４０１が月別目標値を取得するタイミングは、例えば、それぞれの月における初日のタイミングでもよいし、初日の前日などの、初日から所定の日数だけ前の日におけるタイミングなどでもよい。
【００６１】
まず、Ｓ２０２〜２０５において、表示目標値決定部４０２は、日別の電力使用量の目標値を決定する。
【００６２】
表示目標値決定部４０２は、電力情報管理部４０５に過去の消費電力情報が保存されているか否かを判断する（Ｓ２０２）。電力情報管理部４０５が過去の消費電力情報を有している場合（Ｓ２０２でＹＥＳ）、表示目標値決定部４０２は、過去の生活パターンから当月の休日および平日ごとの電力使用量の目標値を算出する（Ｓ２０３）。一方、電力情報管理部４０５が過去の消費電力情報を有していない場合、表示目標値決定部４０２は、当月目標値を日割りすることにより日別の電力使用量の目標値を算出する（Ｓ２０４）。
【００６３】
そして、Ｓ２０３またはＳ２０４の後、表示目標値決定部４０２は、現在日までの使用電力量の目標値を決定する（Ｓ２０５）。
【００６４】
Ｓ２０４では、例えば当月の月別目標値が、この月の日数で除算される。そして、除算して得られた値に対して、この月の初日から現在日までの日数（例えば、現在日の前日までの日数）を乗じることにより各日の電力使用量の目標値が算出される。
【００６５】
一方、Ｓ２０３では、過去の電力使用量の情報があると判定された場合に（Ｓ２０２のＹＥＳ）、この情報を用いて日別の目標値が算出される。この場合は、ユーザの日ごとの電力使用量の傾向に応じて日別の目標値を決定する。
【００６６】
例えば、この建物１０が、共働きの夫婦が住む住宅であるケースでは、平日には、外出している時間が多いために、電力使用量が休日に比べて少ない場合が考えられる。この場合は、平日に消費される電力目標値を休日に比べて小さく決定することが考えられる。
【００６７】
もちろん、Ｓ２０３における日別目標値の決定の仕方は、これに限られるものではなく、ユーザの生活傾向から日別の目標値を決定することができる。
【００６８】
一方で、現在日までの、この月の初日以降における第１の期間（例えば、現在日の前日までの各日よりなる期間）と、現在日以後の、末日以前の第２の期間とがある。
【００６９】
第１の期間に含まれる休日の日数と、第２の期間における、休日の日数とがある。
【００７０】
第１の期間の日数と、この第１の期間に含まれる休日の日数に対して、所定の割合が乗じられた数とが合計された第１の合計値がある。なお、この割合は、例えば、休日の電力使用量から、平日の電力使用量が減じられた量の、平日の電力使用量に対する割合などである。
【００７１】
第２の期間の日数と、この第２の期間に含まれる休日の日数に対して、上述の割合が乗じられた数とが合計された第２の合計値がある。
【００７２】
算出される目標値は、例えば、Ｓ２０１で取得された、この月における目標値が、これら第１、第２の合計値が加算された値で除算されて得られる値に対して、上述の第１の合計値が乗じられた値でもよい。
【００７３】
Ｓ２０３で算出される目標値は、例えば、このような、第１の合計値が乗じられた値である。
【００７４】
このように、Ｓ２０５で決定される目標値は、例えば、上述の各目標値のうちの何れかなどであり、上述のＳ２０１で取得される、末日での目標値から特定される目標値である。
【００７５】
つまり、現在日までに消費された電力量（先述のＳ１１の説明を参照）の値が、この目標値以下であることにより、その月で、末日以前までの各日に消費される電力量の値が、上述された、末日での目標値（Ｓ２０１を参照）以下である目標値である。
【００７６】
なお、Ｓ２０５で決定される目標値は、例えば、末日以前に消費される上述の電力量の値が、末日での目標値（Ｓ２０１を参照）以下である確率が、閾値以上である目標値などでもよい。
【００７７】
なお、このように、Ｓ２０５で決定される目標値は、現在日までに消費された電力量と比較され、説明の便宜上、現在日での目標値と略称される。
【００７８】
一方、Ｓ２０１で取得される目標値は、先述の通り、この月の間において、末日以前の間に消費される電力量の目標値（情報１０３ｐ）であり、この月での目標値と略称される。
【００７９】
次に、Ｓ２０６〜Ｓ２０９においてグラフ生成処理が行われる。グラフ生成部４０３は、Ｓ２０５で決定された日別目標値と現在までの電力使用量とを比較し（Ｓ２０６）、より大きい方の値に合わせてグラフの目盛りの上限値を調整する。日別目標値の方が大きければ日別目標値に合わせて目盛りの上限値を調整し（Ｓ２０７）、現在までの電力使用量の方が大きければこれに合わせて目盛りの上限値を調整する（Ｓ２０８）。
【００８０】
図７は、本実施の形態で生成される電力使用量のグラフを示す概念図である。図７では、所定の２日間に表示される２つのグラフの例を示している。ここでは、日付が早い方を第１のグラフ（図７（ａ））とし、日付が遅い方を第２のグラフ（図７（ｂ））とする。
【００８１】
第１のグラフおよび第２のグラフのそれぞれには、現在日までに消費された電力量の値（第１、第２の値２ａ１、２ｂ１）が表示される。
【００８２】
また、第１のグラフおよび第２のグラフのそれぞれには、Ｓ２０５で特定された、現在日での電力使用量の目標値（値２ａ２、２ｂ２）が表示される。
【００８３】
本実施の形態では、図７に示すようにそれぞれのグラフにおいて示される目標値は、月別目標値ではなく日別の目標値であるとともに、電力量を示す目盛りの上限値（上限値２ａ５、２ｂ５）が当該日別目標値に応じて表示される。これにより、月の上旬のような電力使用量の少ない段階においても、ユーザは電力消費の増加傾向を把握することができるとともに、使用可能な電力量を把握することができる。
【００８４】
図８は、図７とは異なる２つの電力使用量のグラフの例を示している。図８に示すように、第１のグラフ（図８（ａ））において日別目標値或いは現在までの使用電力量が目盛りの上限値を超えると、グラフ生成部４０３は、第２のグラフ（図８（ｂ））に示すように当該超えた方の値がグラフ内に収まるように自動的に電力量を示す目盛りのスケールを調整する。
【００８５】
このように、現在日までの使用電力量（実績値）が目盛りの上限値を超えた場合には当該実績値に合わせてスケールを自動的に調整してもよい。
【００８６】
なお、本実施の形態では、日ごとに電力使用量の目標値を決定したが、表示目標値決定部４０２は、月別目標値に基づいて週ごとに目標値を決定し、グラフ生成部４０３は、上記の週別目標値を示す情報を週ごとに切り替えてグラフに重畳してもよい。
【００８７】
（実施の形態２）
図９は、実施の形態２でのグラフ生成処理（Ｓ１２）の動作を示すフローチャートである。
【００８８】
図９において、Ｓ３０１〜Ｓ３０４の処理は、図６のＳ２０１〜Ｓ２０４の処理と同様の処理である。
【００８９】
また、図９のＳ３０８〜Ｓ３１１の処理は、図６のＳ２０６〜Ｓ２０９の処理と同様の処理である。
【００９０】
図９のＳ３０６の処理は、図６のＳ２０５の処理と同様の処理である。
【００９１】
図９のＳ３０５では、現在日が、次の期間に含まれる１以上の日のうちの１つの日であるか、何れの日でもないかが特定される。
【００９２】
この特定は、例えば、グラフ生成部４０３（図４）により行われる。
【００９３】
その期間とは、この月における、この月の末日まで所定の日数である日以後の、末日までの各日からなる期間である。
【００９４】
図９のＳ３０５では、上述の所定の日数が、７日（１週間）であるケースについて、例示される。
【００９５】
図１０は、第１のグラフ（図１０（ａ））と、第２のグラフ（図１０（ｂ））とを示す図である。
【００９６】
第１のグラフが生成されて、表示される際における現在日は、上述の期間に含まれない（第１のグラフに付された「２３日」の記載を参照）。
【００９７】
一方で、第２のグラフが生成されて、表示される際の現在日は、上述の期間に含まれる（第２のグラフの「２４日」の記載を参照）。
【００９８】
上述の期間内ではないと判定された場合にのみ（Ｓ３０５のＮＯ、図１０の第１のグラフを参照）、先述された図６のＳ２０５の処理と同様の処理である、図１１のＳ３０６の処理がされる。
【００９９】
これにより、Ｓ３０６では、生成されるグラフに表示される目標値（値２ａ２）として、先述された、現在日での目標値が特定される（図６のＳ２０５、図７の値２ａ２、２ｂ２、図１０の値２ａ２などを参照）。
【０１００】
これにより、先述の通り、比較的見やすい適切なグラフが表示される（先述の図７の値２ａ１、２ａ２の説明などを参照）。
【０１０１】
他方、上述の期間内と判定された場合には（Ｓ３０５のＹＥＳ）、表示される目標値として、Ｓ３０１（図６のＳ２０１を参照）で取得された、この月の末日での目標値が特定される（Ｓ３０７：図１０の値２ｂ２を参照）。
【０１０２】
つまり、現在日が、上述の期間内である場合には、末日まで、所定の日数以内であり、現在日よりも後に消費される電力量が（殆どの場合において）少ない。
【０１０３】
つまり、現在日までに消費された電力量（図１０の値２ｂ１を参照）が、比較的大きく、末日での目標値（値２ｂ２）に比較的近い。
【０１０４】
このため、表示される目標値が、現在日での目標値（図１０の第１のグラフでの値２ａ２を参照）ではなく、末日での目標値（第２のグラフでの値２ｂ２を参照）でも、表示されるグラフ（第２のグラフ）が、（ある程度の多くの場合において）不適切にならず、適切な表示がされることが維持できる。
【０１０５】
逆に、上述のようにして、月末での目標値（値２ｂ２）が表示されることにより、この月末での目標値（値２ｂ２）がより精度よく分かり、更に適切な表示ができる。
【０１０６】
（実施の形態３）
図１１は、実施の形態３でのグラフ生成処理（Ｓ１２）の動作を示すフローチャートである。
【０１０７】
実施の形態３では、Ｓ４０６の処理が行われる。
【０１０８】
なお、図１１のＳ４０５、Ｓ４０８の処理は、それぞれ、先述の図９におけるＳ３０５、Ｓ３０７の処理と同様の処理などである。
【０１０９】
現在日が、上述された、末日から所定の日数内の期間に含まれると判定された場合において（Ｓ４０５のＹＥＳ、図９のＳ３０５のＹＥＳを参照）、以下の処理がされる。
【０１１０】
図１２は、第１のグラフと、第２のグラフとを示す図である。
【０１１１】
図１１のＳ４０６では、上述された、Ｓ４０５のＹＥＳの判定がされた場合において（Ｓ４０５のＹＥＳ）、現在日までの、消費された電力量（Ｓ４０６に記載される式の左辺、図１２の値２ａ１）が、この月における、現在日までのそれぞれの日における、その日に消費される電力量の目標値が合計された合計値（右辺、値２ａ２）よりも大きいか、大きくないかが判定される。
【０１１２】
なお、この合計値は、例えば、現在日までに消費される電力量の目標値（Ｓ４０７を参照）と同じ値（図１２の値２ａ２を参照）である。
【０１１３】
この判定は、例えば、グラフ生成部４０３（図４）により行われる。
【０１１４】
上述のＳ４０６で、現在日までに消費された電力量（値２ａ１）が、上述された、目標値の合計値（値２ａ２）よりも大きいと判定される場合にのみ（Ｓ５０６のＹＥＳ）、Ｓ４０８の処理がされて、表示される目標値として、末日での目標値（Ｓ４０１、値２ｂ２を参照）が特定されてもよい。
【０１１５】
逆に、現在日までに消費された電力量が、目標値の合計値以下と判定される場合には（Ｓ５０６のＮＯ）、現在日が、上述の期間に含まれても（Ｓ４０５のＹＥＳ）、Ｓ４０７の処理がされてもよい。
【０１１６】
（実施の形態４）
実施の形態１〜３では、コントローラ１０３がグラフを生成していたが、表示装置１０５がグラフを生成する機能を備えていてもよい。
【０１１７】
図１３は、実施の形態４での表示装置１０５の構成を示すブロック図である。
【０１１８】
例えば、表示装置１０５（図３などを参照）は、月別目標値取得部１１０１と、表示目標値決定部１１０２と、電力（電気代）情報管理部１１０５と、グラフ生成部１１０３と、表示部１１０４とを備える。
【０１１９】
これらの、図１３に示される月別目標値取得部１１０１〜表示部１１０４までのそれぞれのブロックの機能は、図４の月別目標値取得部４０１〜グラフ生成部４０３までの各ブロックと同様の機能を有するので詳細な説明を省略する。
【０１２０】
表示部１１０４は、この表示装置１０５の上述のグラフ生成部１１０３により生成されたデータにより特定されるグラフを表示する。
【０１２１】
なお、この表示装置１０５は、携帯電話でもよいし、スマートフォンでもよいし、テレビでもよいし、その他の表示装置などでもよい。
【０１２２】
また、上記各実施の形態において、月別目標値取得部４０１および月別目標値取得部１１０１は、取得部に相当する。また、表示目標値決定部４０２および表示目標値決定部１１０２は、決定部に相当する。さらに、電力（電気代）情報管理部４０５および電力（電気代）情報管理部１１０５は、管理部に相当する。
【０１２３】
また、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の情報処理装置などを実現するソフトウェアは、次のようなプログラムである。
【０１２４】
すなわち、このプログラムは、当月の電力の使用目標値を示す月別目標値を取得するステップと、前記月別目標値に基づいて、当月における一定期間ごとの電力の使用目標値を示す期間別目標値を決定するステップと、当月の開始日から現在までに使用された消費電力を示す消費電力情報を収集し、前記消費電力情報を管理するステップと、前記期間別目標値および前記消費電力情報に基づいて、当月の開始日から現在までの電力使用量に関する情報を示すグラフを生成するステップと、をコンピュータに実行させるプログラムであって、生成をする前記ステップでは、前記期間別目標値を示す情報を前記一定期間ごとに切り替えて前記グラフに重畳すると共に、前記グラフの、電力使用量を示す目盛りの上限値を調整して前記期間別目標値及び前記電力使用量のうちの大きい方の値を前記グラフに表示させる。
【０１２５】
以上、一つまたは複数の態様に係る情報処理装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１２６】
本発明は、目標となる電力使用量に対する電力消費量の増加傾向、或いは、使用可能な電力量を的確に把握することができ、電力消費量に関する情報を示すグラフを生成する情報処理装置、または、例えば携帯電話、スマートフォン、およびテレビなどの表示装置等に利用可能である。
【符号の説明】
【０１２７】
１０  建物
１００  システム
１０１  分電盤
１０２  電力測定装置
１０３  コントローラ
１０４  無線ルータ
１０５  表示装置
４０１  月別目標値取得部
４０２  表示目標値決定部
４０３  グラフ生成部
４０４  通信部
４０５  電力情報管理部
【図１】
0006048836.tif 000002
【図２】
0006048836.tif 000003
【図３】
0006048836.tif 000004
【図４】
0006048836.tif 000005
【図５】
0006048836.tif 000006
【図６】
0006048836.tif 000007
【図７】
0006048836.tif 000008
【図８】
0006048836.tif 000009
【図９】
0006048836.tif 000010
【図１０】
0006048836.tif 000011
【図１１】
0006048836.tif 000012
【図１２】
0006048836.tif 000013
【図１３】
0006048836.tif 000014